(57)【要約】【課題】  物品を載せることが出来ると共に、あらゆる方向へ拡張してその形状大きさを自由に変えることが出来る組立式棚の提供。【解決手段】  棚は複数本のストレートなバー材１，１・・・と複数個の各種ジョイント材６，６・・・、及び台板７，７・・・から成り、バー材１はジョイント材６の嵌合部１２に嵌って互いに連結することでフレームを構成し、該フレームの水平面内に配置されるバー材１，１・・・の上には台板７，７・・・を載せて位置決め・支持する。【選択図】    図１
2015006237.tif 000002
【特許請求の範囲】
【請求項１】
物品を載せることが出来る組立式棚において、該棚は複数本のバー材と複数個の各種ジョイント材、及び台板から成り、バー材はジョイント材の嵌合部に嵌って互いに連結することでフレームを構成し、該フレームの水平面内に配置されるバー材の上には台板を載せて位置決め・支持したことを特徴とする組立式棚。
【請求項２】
上記ジョイント材の嵌合部に接着剤を塗布してバー材を嵌めた請求項１記載の組立式棚。
【請求項３】
上記バー材の表面に穴を形成し、ジョイント材の嵌合部に凸片を設け、嵌合部に嵌ったバー材の穴に凸片が係合した請求項１記載の組立式棚。
【発明の詳細な説明】
【技術分野】
【０００１】
本発明はあらゆる方向へ拡張してその形状並びに大きさを変えることが出来る組立式棚に関するものである。
【背景技術】
【０００２】
一口に棚と言ってもその形態並びに構造は多種多様化している。棚とは物品を載せる為の台であり、載せる物によりまた配置する場所によってその形態を異にしている。特に室内に置かれる棚は一種のインテリアとして機能する場合もあり、その為に部屋にマッチするデザインとして構成する場合も多い。
【０００３】
一般的な組立式棚は、配置する床面に対して垂直に起立する複数本の支柱に棚板（台板）を上下方向に所定の間隔をおいて積み重ね、各棚板は落下しないように該支柱に固定されている。固定の手段は色々あり、例えば該支柱に棚板を溶接したり、又は各棚板の間に支柱に嵌るパイプを介在するなどして棚板を支柱の所定の位置に固定するといった方法が採られている。
【０００４】
このように構成した棚は、居間や寝室など必要とされる場所に置かれ、比較的に小さな物品を載せるために用いられる。また、この棚は、比較的安価で購入しやすい為に、多目的な種々の用途に広く用いることができる。しかし、上記組立式棚は、起立する各支柱の間隔並びに本数によってその大きさが定まり、後で支柱を追加して拡張したり、棚板の枚数を増やすことは出来ない。
【０００５】
特開２００８−１２６０５７号に係る「組立式棚」は、多段に積み重ねられる棚板を容易に組立及び分離することができるばかりでなく、組み立てられた棚の形態を安定的に保持することが可能である。
そこで、組み立式棚は、上面が開放され、外側縁に二つ以上の中空形状の締結部が形成され、上下方向に複数積み重ねられる棚板と、各棚板の締結部間に立設され、上下方向に貫通された中空形状の支柱と、前記各支柱の上端及びその支柱の上側に位置する棚板の締結部の下端に組み合わされることで相互間を連結し、上端に螺旋部を有している上側連結部材と、前記各支柱の下端及びその支柱の下側に位置する棚板の締結部上端に組み合わされることで相互間を連結し、下端には前記上側連結部材の螺旋部に対応して結合するための螺旋部が形成されている下側連結部材と、を有している。
【０００６】
特開２００６−２０７４２号に係る「組立ラック」は支柱フレーム、支柱ジョイント、棚板を任意に組み合わせて、棚板を上下、縦横方向にエンドレスに連結できる組立ラックである。そこで、支柱フレーム、支柱ジョイント、棚板を組み合わせて成り、支柱ジョイントは、２本の支柱フレーム２の端部を挿入して上、下に連結させる一対の鞘部と、棚板を固定する取付部と、連結すべき他の支柱ジョイントに形成した雌、雄係止連結するための一対の雄、雌係止部とを設けた構造になっている。
【０００７】
これらの組立式棚及び組立ラックにしても、左右及び前後方向、並びに上方へ拡張して大きさを変えたり、全体の形状を変更することは出来ない。
【特許文献１】特開２００８−１２６０５７号に係る「組立式棚」
【特許文献２】特開２００６−２０７４２号に係る「組立ラック」
【発明の開示】
【発明が解決しようとする課題】
【０００８】
このように、組立式棚に関しては色々な形態及び構造が知られている。しかし、必要に応じてその大きさを自由に変更することは出来ない。本発明が解決しようとする課題はこの問題点であり、用途に応じて色々な方向に拡張して大きさ並びに全体の形状を変更することが出来る組立式棚を提供する。
【課題を解決するための手段】
【０００９】
本発明に係る組立式棚は、あらゆる方向、すなわち左右方向、前後方向、及び上方向へ拡張することが出来るように構成している。そこで、この棚は各種のジョイント材とバー材、及び台板（棚板）を組み合せて構成し、各バー材をジョイント材によって連結することでフレームが構成される。ジョイント材は２方向にバー材を連結するＬ型ジョイント材、３方向にバー材を連結するＴ型ジョイント材、４方向にバー材を連結する十字型ジョイント材など、あらゆる方向へバー材を延ばす為に連結することが出来る各種ジョイント材が用いられる。
【００１０】
ジョイント材の嵌合部に先端部が嵌って連結したバー材が抜けないように止着されてフレームを構成し、該フレームの水平面内に配置されているバー材の上には台板が載置される。ここで、ジョイント材に嵌ったバー材を止着する為の具体的な手段は特に限定せず、抜く必要のない時には接着剤を使うことが出来る。そして、台板はそのコーナーを切欠いてジョイント材に係合して位置決めされる切欠き部を有している。
【発明の効果】
【００１１】
このように、本発明の組立式棚は各種ジョイント材を介してバー材を連結することであらゆる方向へ延びるフレーム、及びその形状を自由に作り上げることが出来る。すなわち、ストレートのバー材と各種ジョイント材を組み合せることで任意の大きさ並びに形状の棚を簡単に組み立てることが可能である。そこで、一般消費者は自分で構想した大きさ・形状の棚を組み立てるに際して、必要な本数のバー材及び必要な個数のジョイント材を購入することで実現できる。
【００１２】
そして、組み立てたフレームの水平面内に位置するバー材に台板を載置し、台板のコーナー部をジョイント材と係合することで該台板がフレームから落下することなく安定して載置出来る。このように、組立てた棚には部屋に配置することで色々な小物を置き、並べることが出来、そのフレーム形状は自由であり、完成した棚は部屋のインテリアとしても効果がある。
【図面の簡単な説明】
【００１３】
【図１】本発明に係る組立式棚を構成するフレームの実施例。
【図２】フレームに取付けられる台板。
【図３】フレームに取付けられる台板。
【図４】本発明に係る組立式棚を構成するフレームの実施例。
【図５】本発明に係る組立式棚を構成するフレームの実施例。
【図６】ジョイント材を示す具体例。
【図７】先端部に穴を設けたバー材の具体例。
【発明を実施するための形態】
【００１４】
図１は本発明に係る組立式棚を示す実施例であり、同図の１ａ，１ｂ，１ｃはバー材を示している。バー材１ａは横方向に配置され、バー材１ｂは縦方向に配置され、バー材１ｃは上下方向に配置されている。同図は組立式棚を構成するフレームであり、該フレームは４段棚の構造を成して構成されている。そして、フレームを構成する各バー材１ａ，１ｂ・・・はジョイント材６ａ，６ｂ，６ｃ・・・によって連結されている。
【００１５】
該フレームは最下段の一段棚２、二段棚３、三段棚４、及び最上段の四段棚５を有し、各段棚２，３，４は２本の横方向バー材１ａ，１ａと２本の縦方向バー材１ｂ，１ｂをジョイント材６，６・・・を介して枠組した長方形として構成している。そして、一段棚２と二段棚３との間、二段棚３と三段棚４の間、三段棚４と四段棚５の間には垂直に起立した４本のバー材１ｃ，１ｃ・・・が介在している。バー材１ｃ，１ｃ・・・は各段棚２，３，４のコーナーに設けているジョイント材６，６・・・と連結している。
【００１６】
そして、一段棚２、二段棚３、三段棚４、及び四段棚５には台板７，７・・・が取付けられ、各段棚の台板７，７・・・には小物を置くことが出来る。ここで、台板７は平坦な板であり、例えば図２に示すように各コーナーには切欠き部８，８・・・を有し、台板７の縁はバー材１ａ，１ａ，１ｂ，１ｂの上に載り、切欠き部８はバー材１ｃ，１ｃ・・・に係合して外れないように位置決めされる。
【００１７】
しかし、最上段の四段棚５に載る台板７は四方の縁下面を切欠いて段差を形成し、この切欠き段差に各バー材１ａ，１ａ，１ｂ，１ｂが係合して位置決めされる。図３は下面側縁に沿って切欠き部９，９・・・を設けた他の台板７を示す具体例であるが、台板７の形状に関しては限定しないことにする。また、材質や色彩も任意であり、部屋のインテリアとして効果があるように構成することが出来る。
【００１８】
図４は本発明に係る組立式棚を示す他の実施例である。この組立式棚は前記図１に示す棚を横方向に５基連結して構成した五連式棚を表している。すなわち、ジョイント材６，６・・・の形状を替えることで左右方向へバー材１ａ，１ａを連結して延ばすことが出来る。
【００１９】
図５は本発明の更なる別の組立式棚を示す実施例である。該棚は両側に図１に示す四段棚を配置し、両四段棚を長い４本のバー材１０，１０・・・で連結して構成している。従って、該棚の形態は中央に大きな空間１１を形成した概略凹形をした棚と成っている。ここで、該棚の用途に関しては限定するものではないが、中央空間１１にテレビが配置できるボードとして使用することも可能である。
【００２０】
ところで、図４に示した５連式棚、及び図５に示したテレビボードにしても、水平バー１，１・・・、及び１０，１０・・・にて枠組される各段棚の水平面には前記図１の場合と同じく台板７を載置する。勿論、全ての段棚に台板７を載置する必要はなく、小物を置く段棚にのみ台板７が取付けられる。
【００２１】
図６はジョイント材６を示す実施例である。このジョイント材６はジョイント基部１３から３方向に嵌合部１２ａ，１２ｂ，１２ｃを延ばし、バー材１，１，１が嵌ることで連結することが出来る。該嵌合部１２ａ、１２ｂ、１２ｃは四角形断面を有し、上記バー材１，１，１の四角形断面の穴に該嵌合部１２ａ、１２ｂ、１２ｃが嵌ることで連結される。ここで、ジョイント材６と連結したバー材１が嵌合部から抜けないように、該嵌合部１２ａ、１２ｂ、１２ｃの表面１４に接着剤を塗布して嵌合することが出来る。勿論、後でバー材１を抜いて異なるフレーム形態とする場合には、接着剤によって固着することが出来ない為に、他の止着手段を用いなくてはならない。
【００２２】
図７はバー材１の表面１５に穴１６を貫通した場合であり、ジョイント材６の上記嵌合部表面に凸片（図示なし）を設けることで、嵌合部１２に嵌ったバー材１はその穴１６に凸片が係合して抜け止めとなる。ここで、嵌合部１２の表面に形成する凸片とは滑らかな半球状とすることで、バー材１に設けた穴１６に係合し易く、バー材１を引くことでジョイント材６と分離することが可能となる。一方、凸片の代わりに穴に係合する凸部を形成した板バネを嵌合部に取付けることも可能である。
【００２３】
ところで、ジョイント材６の形態は上記図６に示す場合以外に色々存在する。例えば、前記図１に示す棚のフレームにおいて、ジョイント材６ａは３方向に嵌合部を延ばし、ジョイント材６ｂは４方向に嵌合部を延ばして形態としている。また、図４に示す棚を構成するフレームの場合、ジョイント材６ｃは５方向へ嵌合部を延ばしている。このように、各種方向へ延びる嵌合部を使用することで、ストレートのバー材を連結して組み合せるならば色々なフレームが構成され、該フレームの水平面に位置するバー材に台板を載置して各種棚を作ることが可能となる。
【符号の説明】
【００２４】
１   バー材
２   一段棚
３   二段棚
４   三段棚
５   四段棚
６   ジョイント材
７   台板
８   切欠き部
９   切欠き部
10   バー材
11   空間
12   嵌合部
13   ジョイント基部
14   表面
15   表面
16   穴
【図２】
2015006237.tif 000003
【図３】
2015006237.tif 000004
【図６】
2015006237.tif 000005
【図７】
2015006237.tif 000006
【図１】
2015006237.tif 000007
【図４】
2015006237.tif 000008
【図５】
2015006237.tif 000009